(57)【要約】      （修正有）【課題】養液を間欠的に供給するに最適な養液栽培ベッドを提供する。【解決手段】養液Ａを貯めるベッドに、養液用の凹部２を形成するように土台３を敷設し、土台を隠蔽するように給液マット５を敷設する。凹部の、少なくとも、底面に防根シート１２を配し、また、上面に耕地７を設置し、かつ凹部に設置した液面センサの検知で、凹部に、養液を給液可能とする。【選択図】図２
0003191014.tif 000002
【実用新案登録請求の範囲】
【請求項１】
養液を溜めるベッドに、養液用の凹部を形成するように土台を敷設し、この土台を隠蔽するように給液マットを敷設し、この給液マットの上面に耕地を設置し、前記凹部の、少なくとも、その底面に防根シートを敷設し、かつこの凹部に設置した液面センサの検知で、当該凹部に、養液を給液可能とする構成とした養液栽培ベッド。
【請求項２】
前記防根シートは、凹部の底面と、給液シートとで形成されるＬ形隅部に設ける構成とした請求項１に記載の養液栽培ベッド。
【請求項３】
前記ベッドの側面の高さに対して、前記土台の高さを低くすることで、この土台に載架した耕地を、前記ベッドの両側面の上端と、略同じか、又は低くする構成としたとした請求項１に記載の養液栽培ベッド。
【請求項４】
前記養液の上位の位置は、最大で、前記凹部の底面より、３〜５ｃｍ程度とする構成とした請求項１に記載の養液栽培ベッド。
【請求項５】
前記液面センサが、養液の下位の位置を検知した後に、給液する構成とした請求項１に記載の養液栽培ベッド。
【考案の詳細な説明】
【技術分野】
【０００１】
本考案は、養液栽培ベッドに関し、詳しくは、養液を、間欠的に供給するに最適な養液栽培ベッドに関する。
【背景技術】
【０００２】
養液栽培装置のベッドに関して、本考案と関連がある文献として、特開平９−１６８３４０号公報に記載の発明がある。その構成は、水耕（養液）栽培において、栽培用ロックウールの一部を除いて防根シートで包み、栽培用ロックウールの下側に防根性の水分調節用ロックウールを設置した構造の水耕栽培装置のベッドにおいて、水位センサとタイマとを介して、水位調整と、水の間欠供給とを図る。
【０００３】
また、養液栽培装置の水位調整に関して、本考案と関連がある文献として、特開平５−２２７８５４号公報に記載の発明がある。その構成は、防水フイルムの上に、ポリエステル不織布と、ポリエステル製防根シートとを順に積層し、その上には、上面を表被材で覆ったロックウールポットと灌水チューブを載置し、ロックウールポットと灌水チューブによる灌水地点の距離が６０ｃｍ以下とし、塩類障害回避を図る。
【０００４】
【特許文献１】特開平９−１６８３４０号公報
【特許文献２】特開平５−２２７８５４号公報
【考案の概要】
【考案が解決しようとする課題】
【０００５】
前記文献１では、防根シートの敷設面積が大きく、経済性に問題を抱えている。また、トレイ（ベッド）の両側面の上端より、上方に、栽培用ロックウールと、栽培用ポットとを設ける構成であり、安定性に欠けることが考えられる。
【０００６】
また、文献２では、灌水水位が、６０ｃｍでは、塩害回避には、十分とは考えられないこと、又は灌水使用量の増加が考えられ経済性において改良の余地が考えられる。
【課題を解決するための手段】
【０００７】
上記に鑑み、本考案は、防根シートの省資源化と、経済性の確保とを図りつつ、品質の良い農作物を生育かつ収穫すること、等を意図し、請求項１〜請求項５を提案する。
【考案の効果】
【０００８】
請求項１の考案は、養液を溜めるベッドに、養液用の凹部を形成するように土台を敷設し、土台を隠蔽するように給液マットを敷設し、給液マットの上面に耕地を設置し、凹部の、少なくとも、底面に防根シートを敷設し、かつ凹部に設置した液面センサの検知で、凹部に、養液を給液可能とする構成とした養液栽培ベッドとすることで、防根シートの省資源化と、経済性の確保とを達成しつつ、品質の良い農作物を生育かつ収穫が図れること、等の特徴がある。
【０００９】
請求項２の考案は、防根シートは、凹部の底面と、給液シートとで形成されるＬ形隅部に設ける構成とした養液栽培ベッドとすることで、防根シートの省資源化確保（敷設面積を少なくすること）と、経済性の徹底的な確保とを達成しつつ、極めて品質の良い農作物の生育かつ収穫が図れること、等の特徴がある。
【００１０】
請求項３の考案は、ベッドの側面の高さに対して、土台の高さを低くすることで、土台に載架した耕地を、ベッドの両側面の上端と、略同じか、又は低くする構成とした養液栽培ベッドとすることで、装置の小型化を達成し、かつ作物の幹の長身化が図れること、等の特徴がある。
【００１１】
請求項４の考案は、養液の上位の位置は、最大で、前記凹部の底面より、３〜５ｃｍ程度とする構成とした養液栽培ベッドとすることで、養液の使用量の減少化と、経済性の向上とが図れること、並びに作物にストレスを与えて、糖度の向上に寄与できること、等の特徴がある。
【００１２】
請求項５の考案は、液面センサが、養液の下位の位置を検知した後に、給液する構成とした養液栽培ベッドとすることで、作物にストレスを与えて、糖度の向上に寄与できること、等の特徴がある。
【図面の簡単な説明】
【００１３】
【図１】養液栽培ベッドで、例えば、トマト（作物の一例）を栽培している状態の俯瞰図
【図２】養液栽培ベッドで、例えば、トマトを栽培している状態の要部断面図
【図３】（ａ）は、養液栽培ベッドで、例えば、トマトを、液面センサとタイマとを利用して栽培する工程を説明するフローチャト、（ｂ）は、養液栽培ベッドで、例えば、トマトを、液面センサのみで栽培する工程を説明するフローチャト
【考案を実施するための形態】
【００１４】
１は、ハウス内外の地面ＧＬに設けたベッドで、このベッド１は、発泡スチロールとかポリウレタンシート等の材料で形成した溝形状をなし、例えば、ハウスの棟方向（長手方向）に、向かって長く設置される。
【００１５】
このベッド１の底面１００には、１連、又は２連に養液用の凹部２、２（対の場合には、符号は単独で示す）を、長手方向に形成するようにして土台３を設置するが、この土台３の上面３ａの高さは、ベッド１の側面１ａの上端１０１より低く設定する。この土台３は、発泡スチロールとかウレタン等の材料で、方形柱形状とする。ベッド１の寸法は、作業性と経済性等を考慮して、高さは、８〜１５ｃｍで、幅は３５〜４５ｃｍ程度とする。
【００１６】
この土台３の露出部位（上面３ａと両側面３ｂ）を隠蔽（囲繞）するようにして給液マット５（給水マット）とか給液シート（給水シート）を敷設する。従って、凹部２に貯められた養液Ａを、養液Ａと接触する部位から、吸上げ、又は給液し、この給液マット５の全体に給液可能とする。土台３の寸法は、ベッド１の寸法、及び／又は、後述する耕地の寸法を考慮する必要性と（例えば、ベッド１の高さ内に、土台３と耕地とを配置すること）、作業性と経済性等を考慮して、高さは、４〜１０ｃｍで、幅は１５〜２５ｃｍ程度とする。
【００１７】
図中１２は防根シートで、凹部２の底面２ａと、給液マット５とで形成されるＬ形隅部６に敷設し、この防根シート１２の敷設面積を少なくする。この一例では、隅部６は、凹部２の底面２ａであって、少なくとも、土台３両側における一部辺底面２ａ１と、給液マット５両側面の一部辺下面５ａ１とに亙って設ける構成とする。
【００１８】
７は耕地で、この耕地７はロックウールでなり、寸法は、４ｃｍ角とする。この寸法を維持することで、前述の如く、ベッド１の高さ内に、配置できる。その効果は、前述の通りである。
【００１９】
尚、図示しないが、遮光シートは、ベッド１に敷設する。
【００２０】
次に、図３（ａ）を基に、養液Ａと液面センサ１０との動作の一例を説明すると、ＳＴ−１に示したポンプ８が作動し、ＳＴ−２のように養液Ａの供給が始まる。その後、ＳＴ−３のように、凹部２に設けた液面センサ１０が上位（凹部２の底面より、３〜５ｃｍ程度とする構成）の位置を検知することで、ＳＴ−１ａのように、前記ポンプ８が停止する。このポンプ８の停止に同期して、タイマ１１が作動することで、一連の流れが終了する。以後は、前述の繰り返しとなる。尚、タイマ１１が働くと、最初に戻り、養液Ａの供給が始まる。タイマ１１の作動時間は、養液Ａが凹部２より無くなった直後か、トマトにストレスを与えることを考慮し、規定された時間後に、養液Ａを供給する等のように、適宜、選択する構造である。
【００２１】
また、図３（ｂ）を基に説明すると、ＳＴ−２のように養液Ａの供給が始まる。その後、ＳＴ−１３のように、凹部２に設けた液面センサ１０が上位の位置を検知することで、ＳＴ−１ａのように、前記ポンプ８が停止する。そして、ＳＴ−１３ａのように、液面センサ１０が下位（凹部２の底面より、０〜１ｃｍ程度とする構成）の位置を検知することで、ＳＴ−１のようにポンプ８が作動する。これにより、一連の流れが終了する。以後は、前述の繰り返しとなる。養液Ａが凹部２の下位を検知した後に、時間をおいて、養液Ａを供給することとし、トマトにストレスを与える構成とすることで、例えば、品質と糖度の向上を図る。また、低コストの達成と、養液の減少化に寄与できる。
【００２２】
前述した各構造は、本考案の好ましい一例の説明である。従って、前述した各実施例に限定されるものではなく、考案の趣旨の範囲において構成の一部を変更する構造とか、同じ特徴と効果を達成できる構造、等は、本考案の範疇である。
【符号の説明】
【００２３】
１            ベッド
１ａ          側面
１００        底面
１０１        上端
２            凹部
２ａ          底面
２ａ１        一部辺底面
３            土台
３ａ          上面
３ｂ          側面
５            給液マット
５ａ１        一部辺下面
６            隅部
７            耕地
８            ポンプ
１０          液面センサ
１１          タイマ
１２          防根シート
Ａ            養液
【図３】
0003191014.tif 000003
【図１】
0003191014.tif 000004
【図２】
0003191014.tif 000005